(57)【特許請求の範囲】
【請求項１】
十字路を含む道路と、その道路における国や地域等で規制されている通行側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなる図または用具または模型等を用いて、ドライバーにその規制されている通行側を、視覚によって瞬時に再確認させることを特徴とする、道路の左側通行規制または右側通行規制の再確認方法。
【請求項２】
十字路を含む道路と、その道路の左側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される図。
【請求項３】
十字路を含む道路と、その道路の右側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される図。
【請求項４】
請求項２と請求項３の各図を、セットにすることを特徴とする、請求項１の再確認方法の実施において使用される用具。
【請求項５】
請求項２と請求項３の各図を、それぞれ表と裏に備えたことを特徴とする、請求項１の再確認方法の実施において使用される用具。
【請求項６】
十字路を含む道路と、その道路の左側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される模型。
【請求項７】
十字路を含む道路と、その道路の右側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される模型。
【請求項８】
請求項６と請求項７の各模型を、セットにすることを特徴とする、請求項１の再確認方法の実施において使用される模型。
【請求項９】
請求項６と請求項７の各模型を、それぞれ表と裏に備えたことを特徴とする、請求項１の再確認方法の実施において使用される模型。
【請求項１０】
請求項２と請求項３の各図を、印刷物によって提供することを特徴とする、請求項１の再確認方法の実施において使用される請求項２と請求項３の各図の提供方法。
【請求項１１】
請求項２と請求項３の各図を、インターネットやその他の通信によって提供することを特徴とする、請求項１の再確認方法の実施において使用される請求項２と請求項３の各図の提供方法。
【請求項１２】
請求項２と請求項３の各図を、カーナビに組み込んで提供することを特徴とする、請求項１の再確認方法の実施において使用される請求項２と請求項３の各図の提供方法。
【請求項１３】
請求項２と請求項３の各図を、車のメーターパネルに組み込んで提供することを特徴とする、請求項１の再確認方法の実施において使用される請求項２と請求項３の各図の提供方法。
【発明の詳細な説明】
【技術分野】
【０００１】  本発明は、道路交通規制の再確認に関するものであり、ある国や地域等での交通環境において、左側通行または右側通行に規制されているその通行側を、ドライバーが、視覚によって瞬時に再確認することができるようにしたものである。
【背景技術】
【０００２】  従来は、車が左側通行に規制されているのか、それとも右側通行に規制されているのかを、自動検出する方法と、その方法に基づく装置を提供するというものがあったが、それは他車の走行に基づく自動検出であった。交通量の少ない場所で他車を必要とすることなく、車が左側通行に規制されているのか、それとも右側通行に規制されているのかを、ドライバーが、視覚によって瞬時に再確認することができるようなものはなかった。
【先行技術文献】
【特許文献】
【０００３】
【特許文献１】  特開平１０−１０５８６４号公報
【発明の概要】
【発明が解決しようとする課題】
【０００４】  普段、車が右側通行に規制されている国や地域等での車の運転に慣れ親しんでいるドライバーが、左側通行に規制されている国や地域等で車を運転する時、ドライバーは不安な気持ちになる。比較的交通量のある場所では、その交通の流れにそって何とか左側通行規制に従うことができるが、交通量の少ない場所や、特に右左折などのような時には、ドライバーの、無意識のうちの逆走というようなことも含めた左側通行と右側通行の混乱、というようなことも起こりうる。逆もまた然りである。本発明はこのような問題の解決に役立てることを課題とする。
【課題を解決するための手段】
【０００５】  この問題の解決に役立てるための請求項１の発明は、十字路を含む道路と、その道路における国や地域等で規制されている通行側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなる図または用具または模型等を用いて、ドライバーにその規制されている通行側を、視覚によって瞬時に再確認させることを特徴とする、道路の左側通行規制または右側通行規制の再確認方法である。【０００６】  例えば、普段、車が右側通行に規制されている国や地域等での車の運転に慣れ親しんでいるドライバーが、左側通行に規制されている国や地域等で車を運転する時、ドライバーは、車または進行方向へ向けた矢印を付した車または進行方向へ向けた矢印の位置が道路の左側にある図または用具または模型等を見ることにより、交通量に関係なく、直進中も、右折中および右折後も、左折中および左折後も、走行すべき側が引き続き左側であることを、いつでも視覚によって瞬時に再確認することができ、無意識のうちの逆走というようなことも含めた左側通行と右側通行の混乱、というような問題の解決に役立てることができるのである。【０００７】  請求項２の発明は、十字路を含む道路と、その道路の左側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される図である。【０００８】  この図を、車のダッシュボードの上等に置いておけば、ドライバーは、交通量に関係なく、直進中も、右折中および右折後も、左折中および左折後も、走行すべき側が引き続き左側であることを、いつでも視覚によって瞬時に再確認することができ、無意識のうちの逆走というようなことも含めた左側通行と右側通行の混乱、というような問題の解決に役立てることができるのである。【０００９】  請求項３の発明は、請求項２の発明の左右逆のバージョンである。つまり、十字路を含む道路と、その道路の右側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される図である。【００１０】  この図を、車のダッシュボードの上等に置いておけば、ドライバーは、交通量に関係なく、直進中も、右折中および右折後も、左折中および左折後も、走行すべき側が引き続き右側であることを、いつでも視覚によって瞬時に再確認することができ、無意識のうちの逆走というようなことも含めた左側通行と右側通行の混乱、というような問題の解決に役立てることができるのである。【００１１】  請求項４の発明は、請求項２と請求項３の各図を、���ットにすることを特徴とする、請求項１の再確認方法の実施において使用される用具である。【００１２】請求項２と請求項３の各図を、セットにしておけば、左側通行に規制された国や地域等と、右側通行に規制された国や地域等を行き来するような時、適時、請求項２と請求項３の各図を使い分けることができ、適切な方を選んで車のダッシュボードの上等に置いておけば、ドライバーは、交通量に関係なく、直進中も、右折中および右折後も、左折中および左折後も、引き続き適切な走行すべき側を、いつでも視覚によって瞬時に再確認することができ、無意識のうちの逆走というようなことも含めた左側通行と右側通行の混乱、というような問題の解決に役立てることができるのである。【００１３】  請求項５の発明は、請求項２と請求項３の各図を、それぞれ表と裏に備えたことを特徴とする、請求項１の再確認方法の実施において使用される用具である。【００１４】請求項２と請求項３の各図を、それぞれ表と裏に備えていれば、左側通行に規制された国や地域等と、右側通行に規制された国や地域等を行き来するような時、適時、請求項２と請求項３の各図を使い分けることができ、適切な方を向けて車のダッシュボードの上等に置いておけば、ドライバーは、交通量に関係なく、直進中も、右折中および右折後も、左折中および左折後も、引き続き適切な走行すべき側を、いつでも視覚によって瞬時に再確認することができ、無意識のうちの逆走というようなことも含めた左側通行と右側通行の混乱、というような問題の解決に役立てることができるのである。【００１５】  請求項６の発明は、請求項２の発明の模型バージョンである。つまり、十字路を含む道路と、その道路の左側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される模型である。【００１６】  この模型を、請求項２の発明の場合と同様に、車のダッシュボードの上等に置いておけば、ドライバーは、交通量に関係なく、直進中も、右折中および右折後も、左折中および左折後も、走行すべき側が引き続き左側であることを、いつでも視覚によって瞬時に再確認することができ、無意識のうちの逆走というようなことも含めた左側通行と右側通行の混乱、というような問題の解決に役立てることができるのである。【００１７】  請求項７の発明は、請求項３の発明の模型バージョンであり、また、請求項６の発明の左右逆のバージョンである。つまり、十字路を含む道路と、その道路の右側に、十字路の手前で直進、十字路で直進右左折、直進右左折の後それぞれそのまま直進で連なる車、または、その連なる車の１台１台に進行方向へ向けた矢印を付したもの、または、その連なる車の一部もしくは全部を進行方向へ向けた矢印で表したもの、の要素からなることを特徴とする、請求項１の再確認方法の実施において使用される模型である。【００１８】  この模型を、請求項３の発明の場合と同様に、車のダッシュボードの上等に置いておけば、ドライバーは、交通量に関係なく、直進中も、右折中および右折後も、左折中および左折後も、走行すべき側が引き続き右側であることを、いつでも視覚によって瞬時に再確認することができ、無意識のうちの逆走というようなことも含めた左側通行と右側通行の混乱、というような問題の解決に役立てることができるのである。【００１９】  請求項８の発明は、請求項４の発明の模型バージョンである。つまり、請求項６と請求項７の各模型を、セットにすることを特徴とする、請求項１の再確認方法の実施において使用される模型である。【００２０】請求項６と請求項７の各模型を、セットにしておけば、請求項４の発明の場合と同様に、左側通行に規制された国や地域等と、右側通行に規制された国や地域等を行き来するような時、適時、請求項６と請求項７の各模型を使い分けることができ、適切な方を選んで車のダッシュボードの上等に置いておけば、ドライバーは、交通量に関係なく、直進中も、右折中および右折後も、左折中および左折後も、引き続き適切な走行すべき側を、いつでも視覚によって瞬時に再確認することができ、無意識のうちの逆走というようなことも含めた左側通行と右側通行の混乱、というような問題の解決に役立てることができるのである。【００２１】  請求項９の発明は、請求項５の発明の模型バージョンである。つまり、請求項６と請求項７の各模型を、それぞれ表と裏に備えたことを特徴とする、請求項１の再確認方法の実施において使用される模型である。【００２２】請求項６と請求項７の各模型を、それぞれ表と裏に備えていれば、請求項５の発明の場合と同様に、左側通行に規制された国や地域等と、右側通行に規制された国や地域等を行き来するような時、適時、請求項６と請求項７の各模型を使い分けることができ、適切な方を向けて車のダッシュボードの上等に置いておけば、ドライバーは、交通量に関係なく、直進中も、右折中および右折後も、左折中および左折後も、引き続き適切な走行すべき側を、いつでも視覚によって瞬時に再確認することができ、無意識のうちの逆走というようなことも含めた左側通行と右側通行の混乱、というような問題の解決に役立てることができるのである。【００２３】  請求項１０の発明は、請求項２と請求項３の各図を、印刷物によって提供することを特徴とする、請求項１の再確認方法の実施において使用される請求項２と請求項３の各図の提供方法である。【００２４】請求項２と請求項３の各図を、印刷物によって提供すれば、ドライバーは必要な時に請求項２と請求項３の各図の必要な方の印刷物を取り出して、使用することができるのである。【００２５】  請求項１１の発明は、請求項２と請求項３の各図を、インターネットやその他の通信によって提供することを特徴とする、請求項１の再確認方法の実施において使用される請求項２と請求項３の各図の提供方法である。【００２６】請求項２と請求項３の各図を、インターネットやその他の通信によってパソコンやスマートフォン等に提供すれば、ドライバーは必要な時に請求項２と請求項３の各図の必要な方を取り出して、画面に映し出したり、プリントアウトしたりして使用することができるのである。【００２７】  請求項１２の発明は、請求項２と請��項３の各図を、カーナビに組み込んで提供することを特徴とする、請求項１の再確認方法の実施において使用される請求項２と請求項３の各図の提供方法である。【００２８】  請求項２と請求項３の各図を、カーナビに組み込んで提供すれば、ドライバーは必要な時に請求項２と請求項３の各図の必要な方を取り出して、画面に映し出して使用することができるのである。【００２９】  請求項１３の発明は、請求項２と請求項３の各図を、車のメーターパネルに組み込んで提供することを特徴とする、請求項１の再確認方法の実施において使用される請求項２と請求項３の各図の提供方法である。【００３０】請求項２と請求項３の各図を、車のメーターパネルに組み込んで提供すれば、ドライバーは必要な時に請求項２と請求項３の各図の必要な方を取り出して、車のメーターパネルに映し出して使用することができるのである。
【発明の効果】
【００３１】  本発明により、ドライバーは、交通量に関係なく、直進中も、右折中および右折後も、左折中および左折後も、引き続き適切な走行すべき側を、いつでも視覚によって瞬時に再確認することができ、無意識のうちの逆走というようなことも含めた左側通行と右側通行の混乱、というような問題の解決に役立てることができるのである。
【図面の簡単な説明】
【００３２】
【図１】  本発明の実施形態の、十字路を含む道路と、その道路の左側に、十字路の手前で直進、十字路で直進右左折、直進右左折の後それぞれそのまま直進で連なる車、の要素からなる場合の例を示す図である。
【図２】  本発明の実施形態の、十字路を含む道路と、その道路の右側に、十字路の手前で直進、十字路で直進右左折、直進右左折の後それぞれそのまま直進で連なる車、の要素からなる場合の例を示す図である。
【図３】  本発明の実施形態の、十字路を含む道路と、その道路の左側に、十字路の手前で直進、十字路で直進右左折、直進右左折の後それぞれそのまま直進で連なる車の１台１台に進行方向へ向けた矢印を付したもの、の要素からなる場合の例を示す図である。
【図４】  本発明の実施形態の、十字路を含む道路と、その道路の右側に、十字路の手前で直進、十字路で直進右左折、直進右左折の後それぞれそのまま直進で連なる車の１台１台に進行方向へ向けた矢印を付したもの、の要素からなる場合の例を示す図である。
【図５】  本発明の実施形態の、十字路を含む道路と、その道路の左側に、十字路の手前で直進、十字路で直進右左折、直進右左折の後それぞれそのまま直進で連なる車の一部を進行方向へ向けた矢印で表したもの、の要素からなる場合の例を示す図である。
【図６】  本発明の実施形態の、十字路を含む道路と、その道路の右側に、十字路の手前で直進、十字路で直進右左折、直進右左折の後それぞれそのまま直進で連なる車の一部を進行方向へ向けた矢印で表したもの、の要素からなる場合の例を示す図である。
【図７】  本発明の実施形態の、図５で示した連なる車の一部を進行方向へ向けた矢印で表したもの、の別バージョンである。すなわち、十字路を含む道路と、その道路の左側に、十字路の手前で直進、十字路で直進右左折、直進右左折の後それぞれそのまま直進で連なる車の、十字路の最も手前の車以外を進行方向へ向けた矢印で表したもの、の要素からなる場合の例を示す図である。
【図８】  本発明の実施形態の、図６で示した連なる車の一部を進行方向へ向けた矢印で表したもの、の別バージョンである。すなわち、十字路を含む道路と、その道路の右側に、十字路の手前で直進、十字路で直進右左折、直進右左折の後それぞれそのまま直進で連なる車の、十字路の最も手前の車以外を進行方向へ向けた矢印で表したもの、の要素からなる場合の例を示す図である。
【図９】  本発明の実施形態の、十字路を含む道路と、その道路の左側に、十字路の手前で直進、十字路で直進右左折、直進右左折の後それぞれそのまま直進で連なる車の全部を進行方向へ向けた矢印で表したもの、の要素からなる場合の例を示す図である。
【図１０】  本発明の実施形態の、十字路を含む道路と、その道路の右側に、十字路の手前で直進、十字路で直進右左折、直進右左折の後それぞれそのまま直進で連なる車の全部を進行方向へ向けた矢印で表したもの、の要素からなる場合の例を示す図である。
【図１１】  図７で示した複数の矢印を１つにまとめた場合の例を示す図である。
【図１２】  図８で示した複数の矢印を１つにまとめた場合の例を示す図である。
【発明を実施するための形態】
【００３３】  図１は、十字路を含む道路と、その道路の左側に、十字路の手前で直進、十字路で直進右左折、直進右左折の後それぞれそのまま直進で連なる車、の要素からなる場合の例を示す図である。
【００３４】  同図に示すように、車の位置が道路の左側にあることから、このような図を、車のダッシュボードの上等に置くことにより、ドライバーは、交通量に関係なく、直進中も、右折中および右折後も、左折中および左折後も、走行すべき側が左側であることを、いつでも視覚によって瞬時に再確認することができ、無意識のうちの逆走というようなことも含めた左側通行と右側通行の混乱、というような問題の解決に役立てることができるのである。
【００３５】  図２は、十字路を含む道路と、その道路の右側に、十字路の手前で直進、十字路で直進右左折、直進右左折の後それぞれそのまま直進で連なる車、の要素からなる場合の例を示す図である。
【００３６】  同図に示すように、車の位置が道路の右側にあることから、このような図を、車のダッシュボードの上等に置くことにより、ドライバーは、交通量に関係なく、直進中も、右折中および右折後も、左折中および左折後も、走行すべき側が右側であることを、いつでも視覚によって瞬時に再確認することができ、無意識のうちの逆走というようなことも含めた左側通行と右側通行の混乱、というような問題の解決に役立てることができるのである。
【００３７】  図３は、十字路を含む道路と、その道路の左側に、十字路の手前で直進、十字路で直進右左折、直進右左折の後それぞれそのまま直進で連なる車の１台１台に進行方向へ向けた矢印を付したもの、の要素からなる場合の例を示す図である。
【００３８】  同図に示すように、矢印を付した車の位置が道路の左側にあることから、このような図を、車のダッシュボードの上等に置くことにより、ドライバーは、交通量に関係なく、直進中も、右折中および右折後も、左折中および左折後も、走行すべき側が左側であることを、いつでも視覚によって瞬時に再確認することができ、無意識のうちの逆走というようなことも含めた左側通行と右側通行の混乱、というような問題の解決に役立てることができるのである。
【００３９】  図４は、十字路を含む道路と、その道路の右側に、十字路の手前で直進、十字路で直進右左折、直進右左折の後それぞれそのまま直進で連なる車の１台１台に進行方向へ向けた矢印を付したもの、の要素からなる場合の例を示す図である。
【００４０】  同図に示すように、矢印を付した車の位置が道路の右側にあることから、このような図を、車のダッシュボードの上等に置くことにより、ドライバーは、交通量に関係なく、直進中も、右折中および右折後も、左折中および左折後も、走行すべき側が右側であることを、いつでも視覚によって瞬時に再確認することができ、無意識のうちの逆走というようなことも含めた左側通行と右側通行の混乱、というような問題の解決に役立てることができるのである。
【００４１】  図５は、十字路を含む道路と、その道路の左側に、十字路の手前で直進、十字路で直進右左折、直進右左折の後それぞれそのまま直進で連なる車の一部を進行方向へ向けた矢印で表したもの、の要素からなる場合の例を示す図である。
【００４２】  同図に示すように、車と矢印の位置が道路の左側にあることから、このような図を、車のダッシュボードの上等に置くことにより、ドライバーは、交通量に関係なく、直進中も、右折中および右折後も、左折中および左折後も、走行すべき側が左側であることを、いつでも視覚によって瞬時に再確認することができ、無意識のうちの逆走というようなことも含めた左側通行と右側通行の混乱、というような問題の解決に役立てることができるのである。
【００４３】  図６は、十字路を含む道路と、その道路の右側に、十字路の手前で直進、十字路で直進右左折、直進右左折の後それぞれそのまま直進で連なる車の一部を進行方向へ向けた矢印で表したもの、の要素からなる場合の例を示す図である。
【００４４】  同図に示すように、車と矢印の位置が道路の右側にあることから、このような図を、車のダッシュボードの上等に置くことにより、ドライバーは、交通量に関係なく、直進中も、右折中および右折後も、左折中および左折後も、走行すべき側が右側であることを、いつでも視覚によって瞬時に再確認することができ、無意識のうちの逆走というようなことも含めた左側通行と右側通行の混乱、というような問題の解決に役立てることができるのである。
【００４５】  図７は、図５で示した連なる車の一部を進行方向へ向けた矢印で表したもの、の別バージョンである。すなわち、十字路を含む道路と、その道路の左側に、十字路の手前で直進、十字路で直進右左折、直進右左折の後それぞれそのまま直進で連なる車の、十字路の最も手前の車以外を進行方向へ向けた矢印で表したもの、の要素からなる場合の例を示す図である。
【００４６】  同図に示すように、車と矢印の位置が道路の左側にあることから、このような図を、車のダッシュボードの上等に置くことにより、ドライバーは、交通量に関係なく、直進中も、右折中および右折後も、左折中および左折後も、走行すべき側が左側であることを、いつでも視覚によって瞬時に再確認することができ、無意識のうちの逆走というようなことも含めた左側通行と右側通行の混乱、というような問題の解決に役立てることができるのである。
【００４７】  図８は、図６で示した連なる車の一部を進行方向へ向けた矢印で表したもの、の別バージョンである。すなわち、十字路を含む道路と、その道路の右側に、十字路の手前で直進、十字路で直進右左折、直進右左折の後それぞれそのまま直進で連なる車の、十字路の最も手前の車以外を進行方向へ向けた矢印で表したもの、の要素からなる場合の例を示す図である。
【００４８】  同図に示すように、車と矢印の位置が道路の右側にあることから、このような図を、車のダッシュボードの上等に置くことにより、ドライバーは、交通量に関係なく、直進中も、右折中および右折後も、左折中および左折後も、走行すべき側が右側であることを、いつでも視覚によって瞬時に再確認することができ、無意識のうちの逆走というようなことも含めた左側通行と右側通行の混乱、というような問題の解決に役立てることができるのである。
【００４９】  図９は、十字路を含む道路と、その道路の左側に、十字路の手前で直進、十字路で直進右左折、直進右左折の後それぞれそのまま直進で連なる車の全部を進行方向へ向けた矢印で表したもの、の要素からなる場合の例を示す図である。
【００５０】  同図に示すように、矢印の位置が道路の左側にあることから、このような図を、車のダッシュボードの上等に置くことにより、ドライバーは、交通量に関係なく、直進中も、右折中および右折後も、左折中および左折後も、走行すべき側が左側であることを、いつでも視覚によって瞬時に再確認することができ、無意識のうちの逆走というようなことも含めた左側通行と右側通行の混乱、というような問題の解決に役立てることができるのである。
【００５１】  図１０は、十字路を含む道路と、その道路の右側に、十字路の手前で直進、十字路で直進右左折、直進右左折の後それぞれそのまま直進で連なる車の全部を進行方向へ向けた矢印で表したもの、の要素からなる場合の例を示す図である。
【００５２】  同図に示すように、矢印の位置が道路の右側にあることから、このような図を、車のダッシュボードの上等に置くことにより、ドライバーは、交通量に関係なく、直進中も、右折中および右折後も、左折中および左折後も、走行すべき側が右側であることを、いつでも視覚によって瞬時に再確認することができ、無意識のうちの逆走というようなことも含めた左側通行と右側通行の混乱、というような問題の解決に役立てることができるのである。
【００５３】  図５および図６および図７および図８および図９および図１０の複数の矢印を１つにまとめてもよい。例えば図７の複数の矢印を１つにまとめれば図１１のようになる。また、図８の複数の矢印を１つにまとめれば図１２のようになる。
【００５４】  図１および図２および図３および図４および図５および図６および図７および図８および図９および図１０および図１１および図１２の各要素は、立体的に構成し、模型にすることもできる。
【実施例１】
【００５５】  請求項２の発明と請求項３の発明をセットにしたり、それぞれ表と裏に備えたりすることを特徴とする用具は、片面側だけが見えるようにしたファイルやホルダー等におさめるなどして、請求項２の発明か請求項３の発明のどちらか一方だけが見えるようにしてもよい。
【実施例２】
【００５６】  請求項６の発明と請求項７の発明をセットにしたり、それぞれ表と裏に備えたりすることを特徴とする模型は、片面側だけが見えるようにしたホルダー等におさめるなどして、請求項６の発明か請求項７の発明のどちらか一方だけが見えるようにしてもよい。
【実施例３】
【００５７】  図は、奥行きのある立体的なものでもよい。
【実施例４】
【００５８】  図や用具や模型等に、蛍光塗料や運転に支障をきたさない程度の照明をつけておけば、夜間でも効果を発することができる。
【産業上の利用可能性】
【００５９】  本発明は、普段、車が右側通行に規制されている国や地域等での車の運転に慣れ親しんでいる外国人が、観光やビジネスその他の理由で来日し、日本でレンタカー等を利用して車を運転したり、その後、日本を出国して右側通行に規制されている国や地域等で車を運転したり、また、日本人が右側通行に規制されている国や地域等で車を運転したり、その後、帰国して日本で車を運転したりすること等が考えられるので、十分な利用が見込まれ、また、工業的に量産することも可能であるため、産業上の利用可能性を有する。【００６０】  その国や地域等のシンボル的なもの、例えば日本の場合でいうと「富士山」や「寿司」など、東京の場合でいうと「スカイツリー」や「浅草寺」など、広島の場合でいうと「平和記念公園」や「お好み焼き」など、の絵や写真等を図に、絵や写真やミニチュア等を用具や模型等に入れておけば、みやげ物としても活用することができる。【００６１】  観光やビジネスその他の理由での出国者ならびに入国者や帰国者等への配布物としても活用することができる。【００６２】  図や用具や模型等の空いているところに、広告を載せれば、宣伝用のツールとしても活用することができる。
【符号の説明】
【００６３】  １  十字路を含む道路
２  走行している車
３  進行方向へ向けた矢印
４  複数の進行方向へ向けた矢印を１本にまとめた矢印
【図１】
0006344367.tif 000002
【図２】
0006344367.tif 000003
【図３】
0006344367.tif 000004
【図４】
0006344367.tif 000005
【図５】
0006344367.tif 000006
【図６】
0006344367.tif 000007
【図７】
0006344367.tif 000008
【図８】
0006344367.tif 000009
【図９】
0006344367.tif 000010
【図１０】
0006344367.tif 000011
【図１１】
0006344367.tif 000012
【図１２】
0006344367.tif 000013